(57)【要約】【課題】車両電気負荷の電源とするとともにキー始動操作による通常始動時のスタータ用電源とするメインバッテリとは別に、アイドルストップ制御の再始動時にスタータ用電源とするサブバッテリを搭載する車両において、アイドルストップ制御の再始動時にスタータ駆動電力を確保して確実に始動できるようにする。【解決手段】サブバッテリが劣化等で充電状態が悪い場合、メインバッテリの充電状態が良ければ、パワーリレーを駆動してメインバッテリとサブバッテリの両方をスタータ駆動の電源とし（Ｓ１３）、メインバッテリの充電状態が悪ければ、ヒルホルダー、エンジン以外の電気部品の電源を遮断し（Ｓ１８）、車両傾斜が小さければヒルホルダーも電源遮断する（Ｓ２０）。また、傾斜が大きいと、エンスト状態にし、ブザーで報知する（Ｓ２１）。【選択図】図３
2008196427.tif 000002
【特許請求の範囲】
【請求項１】
所定のエンジン自動停止条件が成立した時にエンジンを自動停止させ、停止後所定の再始動条件が成立した時にエンジンを自動的に再始動させるエンジン自動停止・再始動制御手段と、エンジン自動停止中に車両の所定の電気負荷に電力を供給するとともにエンジン自動停止後の再始動時にスタータに電力を供給可能な第１のバッテリと、エンジン自動停止後の再始動時にスタータに電力を供給する第２のバッテリとを備えた車両の制御装置であって、
前記第１のバッテリと前記スタータとを接続して該スタータに電力を供給可能とする切換手段と、
前記エンジン自動停止からの再始動時に、前記第２のバッテリの充電状態を判定して、前記第２のバッテリの充電状態が良好でないと判定した場合、前記切換手段を接続状態にして前記第１のバッテリからの電力と前記第２のバッテリからの電力の両方で前記スタータを駆動させる始動制御手段と、
前記第１のバッテリの充電状態を判定して、判定した前記第１のバッテリの充電状態に応じて、該第１のバッテリによりエンジン自動停止中に電力が供給される前記電気負荷の内の少なくとも一つへの電力供給を停止する電気負荷制御手段を備えた車両の制御装置。
【請求項２】
前記電気負荷の一つは、ブレーキ油圧を維持するヒルホルダーであり、前記電気負荷制御手段は、前記第１のバッテリの充電状態が良好であると判定した場合、エンジン始動に必要な電力部品と前記ヒルホルダーとを除く他の電気負荷の内の少なくとも一つへの電力供給を停止するよう構成された請求項１記載の車両の制御装置。
【請求項３】
前記電気負荷制御手段は、前記第１のバッテリの充電状態が悪いと判定した場合、前記ヒルホルダーへの電力供給も停止するよう構成された請求項２記載の車両の制御装置。
【請求項４】
車両の傾斜状態を判定する傾斜判定手段を備え、前記電気負荷制御手段は、前記第１のバッテリの充電状態が悪いと判定し、且つ車両が所定以上傾斜している場合、前記ヒルホルダーへの電力供給の停止を禁止し、エンスト状態にするとともに、当該状態の報知を行うよう構成された請求項３記載の車両の制御装置。
【請求項５】
前記電気負荷は、自動変速機の油圧発生用電動オイルポンプ、電動パワーステアリング、ブレーキ油圧を維持するヒルホルダーの内の少なくとも一つである請求項１記載の車両の制御装置。
【発明の詳細な説明】
【技術分野】
【０００１】
本発明は、交差点などで停車したときのアイドル運転状態等でエンジンを自動的に停止させ、その後、車両の発進操作が行われる等の再始動条件が成立した時点でエンジンを自動的に再始動させるアイドルストップ等のエンジンの自動停止・再始動制御を行う車両の制御装置に関する。
【背景技術】
【０００２】
近年、燃費の低減およびＣＯ2排出量の抑制等を図るため、交差点などで停車したときのアイドル運転状態においてエンジンを自動的に停止させ、その後、車両の発進操作が行われる等の再始動条件が成立した時点でエンジンを自動的に再始動させるエンジンの自動停止・再始動制御、いわゆるアイドルストップ制御を行う自動車が開発されている。そして、このようなアイドルストップ制御を行う車両では、車両走行時に頻繁に行われるアイドルストップ制御の再始動時にスタータが使用される頻度が高くなり、電力消費量が増大して、バッテリ容量が不足がちになるということから、バッテリを複数設け、例えば、通常始動時に始動性を確保するために好適な鉛バッテリと、アイドルストップ制御による再始動時の始動性を確保するのに好適なリチウムイオンバッテリとを設けて、通常始動時とアイドルストップ制御の再始動時とでバッテリを使い分けるようにし、また、使用中のバッテリが劣化した場合に、劣化していない方のバッテリに電源を切り換えて始動するようにしたものが提案されている（例えば、特許文献１，２参照。）。
【０００３】
また、そのようなアイドルストップを行う自動車では、自動変速機の油圧発生用オイルポンプが機械式オイルポンプのみでは、アイドルストップでエンジンが停止すると、油圧発生用オイルポンプが停まってしまい、油圧が低下して、シフト切換用のクラッチを係合状態に維持できなくなるというので、電動式のオイルポンプを併設して、アイドルストップでエンジンが停止しているときに電動オイルポンプを作動させることが提案されている（例えば、特許文献３参照。）。
【０００４】
【特許文献１】特許第３８１２４５９号公報
【特許文献２】特開２００５−０３６７９５号公報
【特許文献３】特許第３７０４２８３号公報
【発明の開示】
【発明が解決しようとする課題】
【０００５】
ところで、アイドルストップ制御を行う車両において、バッテリを複数設けるについては、アイドルストップ制御の再始動時（アイドルストップ制御によるエンジン自動停止後の再始動時）にスタータで確実に始動できるようにするためには、エンジン自動停止中作動させる電気負荷その他の車両電気負荷の電源とするとともにキー始動操作による通常始動時のスタータ用電源とするメインバッテリ（第１のバッテリ）とは別に、アイドルストップ制御の再始動時にスタータ用電源とする専用のサブバッテリ（第２のバッテリ）を設け、リレー等の切換手段により接続経路を切り換えることによって、キー始動操作による通常の始動時にはサブバッテリとメインバッテリの両方でスタータを駆動するようにし、また、アイドルストップ制御の再始動時には、基本的にサブバッテリでスタータを駆動するが、サブバッテリが劣化等で充電状態が悪い場合には、電力不足になるので、始動を確実にするためにメインバッテリとサブバッテリの両方でスタータを駆動できるようにすることが考えられる。
【０００６】
しかし、アイドルストップ制御を行う自動車は、アイドルストップ中も、自動変速機の油圧を確保するために電動オイルポンプ、電動パワステ、斜面等で停車したときに車両が後退しないようブレーキ圧を保持するよう作動させる電磁式のヒルホルダー等の電気負荷を作動させており、サブバッテリからの電力供給の不足分をメインバッテリで補おうとした時に、メインバッテリからスタータに供給される電力が十分でなくて、速やかに始動できないことがある。
【０００７】
本発明は、アイドルストップ等のエンジンの自動停止・再始動制御による自動停止中の電気負荷その他の電気負荷の電源とするとともにキー始動操作による通常始動時のスタータ用電源とするメインバッテリ（第１のバッテリ）とは別に、アイドルストップ制御の再始動時にスタータ用電源とする専用のサブバッテリ（第２のバッテリ）を搭載する車両において、アイドルストップ制御の再始動時に、サブバッテリ（第２のバッテリ）の充電状態が劣化等で悪い場合には、サブバッテリ（第２のバッテリ）とメインバッテリ（第１のバッテリ）の両方からスタータに電力を供給でき、しかも、メインバッテリ（第１のバッテリ）からスタータに供給される電力を十分に確保して、エンジンを確実に始動できるようにすることを目的とする。
【課題を解決するための手段】
【０００８】
本発明の車両の制御装置は、所定のエンジン自動停止条件が成立した時にエンジンを自動停止させ、停止後所定の再始動条件が成立した時にエンジンを自動的に再始動させるエンジン自動停止・再始動制御手段と、エンジン自動停止中に車両の所定の電気負荷に電力を供給するとともにエンジン自動停止後の再始動時にスタータに電力を供給可能な第１のバッテリと、エンジン自動停止後の再始動時にスタータに電力を供給する第２のバッテリとを備えた車両の制御装置であって、第１のバッテリとスタータとを接続してスタータに電力を供給可能とする切換手段と、エンジン自動停止からの再始動時に、第２のバッテリの充電状態を判定して、第２のバッテリの充電状態が良好でないと判定した場合、切換手段を接続状態にして第１のバッテリからの電力と第２のバッテリからの電力の両方でスタータを駆動させる始動制御手段と、第１のバッテリの充電状態を判定して、判定した第１のバッテリの充電状態に応じて、第１のバッテリによりエンジン自動停止中に電力が供給される電気負荷の内の少なくとも一つへの電力供給を停止する電気負荷制御手段を備えている。
【０００９】
このように車両の制御装置が構成されることにより、アイドルストップ制御の再始動時に、第２のバッテリの充電状態が劣化等で悪い場合には、第２のバッテリと第１のバッテリの両方からスタータに電力を供給でき、しかも、第１のバッテリからスタータに供給される電力を十分に確保して、エンジンを確実に始動させることができる。
【００１０】
上記車両の制御装置は、エンジン自動停止中に電力を供給する電気負荷の一つが、ブレーキ油圧を維持するヒルホルダーである場合に、電気負荷制御手段は、第１のバッテリの充電状態が良好であると判定した場合、エンジン始動に必要な電力部品（燃料供給とか点火のための電装品）とヒルホルダーとを除く他の電気負荷の内の少なくとも一つへの電力供給を停止するよう構成するのがよい。こうすることで、車両後退を抑制しつつ、エンジン始動性を確保できる。
【００１１】
また、この場合、電気負荷制御手段は、さらに、第１のバッテリの充電状態が悪いと判定した場合、ヒルホルダーへの電力供給も停止するよう構成してもよい。こうすることで、エンジン始動性を最優先で確保することができる。
【００１２】
但し、この場合、車両の制御装置は、車両の傾斜状態を判定する傾斜判定手段を備えたものとし、電気負荷制御手段は、第１のバッテリの充電状態が悪いと判定し、且つ車両が所定以上傾斜している場合、ヒルホルダーへの電力供給の停止をやめて、前記ヒルホルダーへの電力供給の停止を禁止し、エンスト状態にするとともに、当該状態の報知を行うよう構成するのがよい。こうすることで、車両後退の可能性が高い場合に、車両後退を防止するとともに、当該状態をドライバに認知させることができる。
【００１３】
エンジン自動停止中に作動させる電気負荷は、例えば、自動変速機の油圧発生用電動オイルポンプ、電動パワーステアリング、ブレーキ油圧を維持するヒルホルダーであってよく、第１のバッテリの充電状態に応じて、それらの電気負荷の内の少なくとも一つへの電力供給を停止することにより、エンジンを確実に始動させることができる。
【発明の効果】
【００１４】
このように、本発明の車両の制御装置によれば、アイドルストップ制御の再始動時に、第２のバッテリの充電状態が劣化等で悪い場合には、第２のバッテリと第１のバッテリの両方からスタータに電力を供給でき、しかも、第１のバッテリからスタータに供給される電力を十分に確保して、エンジンを確実に始動させることができる。
【００１５】
また、特に、第１のバッテリの充電状態が良好である場合、エンジン始動に必要な電力部品とヒルホルダーとを除く他の電気負荷の内の少なくとも一つへの電力供給を停止することで、車両後退を抑制しつつ、エンジン始動性を確保でき、さらに、第１のバッテリの充電状態が悪い場合、ヒルホルダーへの電力供給も停止することで、エンジン始動性を最優先で確保することができ、第１のバッテリの充電状態が悪いと判定し、且つ車両が所定以上傾斜している場合、前記ヒルホルダーへの電力供給の停止を禁止し、エンスト状態にするとともに、当該状態の報知を行うことで、車両後退を防止するとともに、当該状態をドライバに認知させることができる。
【発明を実施するための最良の形態】
【００１６】
以下、本発明の実施形態の一例を図面に基づいて説明する。
図１及び図２は本発明の実施形態の一例を示している。図１はこの実施形態に係る車両の制御装置のシステム図、図２は制御動作を示すフローチャート（その１）、図３は制御動作を示すフローチャート（その２）である。
【００１７】
この実施形態の車両は、直列４気筒のエンジン１と自動変速機２とでパワーユニットが構成され、エンジン１を起動する電動式のスタータ３を備え、また、車両およびエンジン用の電源として、メインバッテリ４（第１のバッテリ）およびサブバッテリ５（第２のバッテリ）を備えており、また、エンジン１により駆動されるオルタネータ６（発電機）を備えている。また、この車両には、エンジン１の燃料噴射、点火、吸気流量等を制御し、スタータ３による始動を制御し、オルタネータ６による発電量を制御し、自動変速機２の油圧発生用電動オイルポンプ７（ＡＴ電動Ｏ／Ｐ）、電動パワーステアリング８（電動パワステ）、斜面等で停車したときに車両が後退しないようブレーキ圧を保持するよう作動させる電磁式のヒルホルダー９その他の車両電気負荷（ＥＬ）を制御するコントロールユニット１０（ＥＣＵ）が搭載されている。油圧発生用電動オイルポンプ７、電動パワーステアリング８、ヒルホルダー９は、後述のアイドルストップ制御によるエンジン自動停止中も作動させる。
【００１８】
メインバッテリ４は、油圧発生用電動オイルポンプ７、電動パワーステアリング８、ヒルホルダー９等の車両電気負荷（ＥＬ）に電力を供給可能とされ、パワーリレー１１を介してスタータ３に電力を供給可能とされ、また、チャージリレー１２を介する経路によってもスタータ３に電力を供給可能に接続可能とされている。そして、メインバッテリ４は常時充電可能なようオルタネータ６に接続されている。
【００１９】
また、サブバッテリ５は、スタータ３に常時電力を供給可能なよう接続されている。そして、サブバッテリ５は、チャージリレー１２を介してオルタネータ６に接続可能とされ、また、パワーリレー１１を介する経路によってもオルタネータ６に接続可能とされている。
【００２０】
パワーリレー１１は、メインバッテリ４をスタータ３に接続する経路に配置され、接続状態（リレーオン）にて、メインバッテリ４とスタータ３とを接続して、キー始動操作による通常のエンジン始動時にメインバッテリ４からパワーリレー１１を介してスタータ３へ電力を供給可能とし、解除状態（リレーオフ）にて、パワーリレー１１を介するメインバッテリ４とスタータ３との接続を解除し、パワーリレー１１を介するスタータ３へ電力の供給を遮断する。また、サブバッテリ５の充電状態が劣化等によって悪くなった場合、後述のアイドルアップ制御による再始動時に、始動を確実にするために、パワーリレー１１を接続状態にして、メインバッテリ４とサブバッテリ５の両方でスタータを駆動できるようにする。
【００２１】
チャージリレー１２は、サブバッテリ５をオルタネータ６に接続する経路に配置され、接続状態（リレーオン）にて、サブバッテリ５とオルタネータ６とを接続して、オルタネータ６により発電される電力をサブバッテリ５に供給（充電）可能とし、解除状態（リレーオフ）にて、チャージリレー１２を介するサブバッテリ５とオルタネータ６との接続を解除し、チャージリレー１２を介するサブバッテリ５への電力の供給（充電）を遮断する。
【００２２】
また、チャージリレー１２を介してサブバッテリ５をオルタネータ６に接続する経路は、パワーリレー１１を介してメインバッテリ４をスタータ３に接続する経路に接続され、パワーリレー１１を接続状態とすることによって、オルタネータ６により発電される電力を、サブバッテリ４とスタータ３とを常時接続する経路を介してサブバッテリ５に供給（充電）可能とされ、また、パワーリレー１１とチャージリレー１２を共に接続状態にすることによって、サブバッテリ５からの電力をチャージリレー１２およびパワーリレー１１を介する経路からもスタータ３へ供給可能とされている。
【００２３】
コントロールユニット１０には、図示しないエアフローセンサ、吸気圧センサ、吸気温センサ、クランク角センサ、カム角センサ、水温センサ、アクセル開度センサ、大気圧センサ等から検出信号が入力され、また、キースイッチ１３からエンジン１のキー始動操作の検出信号が入力され、自動変速機２から変速位置信号が入力され、メインバッテリ４のバッテリ電圧を検出する電圧センサ１４の検出信号が入力され、サブバッテリ５のバッテリ電圧を検出する電圧センサ１５の検出信号が入力される。そして、コントロールユニット１０は、入力された情報に基づいて各種演算を行い、エンジン１の燃料噴射弁、スロットル弁、点火装置（いずれも図示省略）に制御信号を出力し、オルタネータ６のレギュレータ回路に制御信号を出力し、スタータ３に制御信号を出力し、また、自動変速機２の油圧発生用電動オイルポンプ７、電動パワーステアリング８、ヒルホルダー９その他の車両電気負荷（ＥＬ）に制御信号を出力する。
【００２４】
この実施形態の車両は、燃費低減およびＣＯ2排出量の抑制等を図るため、交差点などで、Ｄレンジのまま停車したときにエンジン１を自動停止させ、その後、車両の発進操作（アクセル踏み込み）が行われる等の再始動条件が成立したときに自動的に再始動させる自動停止・再始動制御、いわゆるアイドルストップ制御を行う。
【００２５】
アイドルストップ制御におけるエンジン再始動は、基本的にスタータ３を使用せず、逆転再始動方式あるいは正転再始動方式の燃焼始動制御によって行い、ピストン停止位置が適正位置から外れたりして、燃焼始動制御でエンジンが速やかに再始動しないときは、スタータ３による始動アシストで再始動する。
【００２６】
逆転再始動方式では、アイドルストップのエンジン停止条件として、例えば、ブレーキを踏んでいて（ブレーキオン）、アクセルを離していて（アクセルオフ）、車速が０で、変速位置がＤレンジであることを、アイドルストップのエンジン停止条件として設定し、その予め設定したエンジン停止条件が成立したときに、コントロールユニット１０は、各気筒への燃料噴射を停止（燃料カット）して、停止位置が適正になるようにエンジン１を自動停止させるとともに、その後に運転者によるアクセル操作が行われる等により再始動条件が成立したとき時に、まず、圧縮行程で停止した気筒（圧縮行程気筒）で最初に燃焼を行わせて、クランクシャフトを少しだけ逆転させ、これにより、膨張行程で停止した気筒（膨張行程気筒）のピストンを一旦上昇させ（上死点に近づけさせ）、その膨張行程気筒の気筒内の空気を圧縮し、燃料を噴射して、混合気の状態で点火し燃焼させることによりクランクシャフトに正転方向の駆動トルクを与え、スタータ３を使用することなくエンジン１を自動的に再始動させる。
【００２７】
この場合、エンジン１は、圧縮行程気筒内に所定量の空気を確保して最初の燃焼でクランクシャフトを少しだけ逆転させ得る程度の燃焼エネルギーを得ることができ、且つ、膨張行程気筒内に多くの空気量を確保しクランクシャフトを正転させるための燃焼エネルギーを充分に発生させることができ、エンジン１をピストン位置が確実に再始動させることが可能となる適正停止範囲になるように自動停止させるよう、コントロールユニット１０によって、エンジン回転速度、スロットル弁開度（ブースト圧）を調節し、また、オルタネータ６の発電量を調節する。
【００２８】
正転再始動方式でアイドルストップの再始動を行う場合も、エンジン１を自動停止する制御は、逆転再始動方式の場合と同様である。そして、この場合は、自動停止後、再始動条件が成立すると、膨張行程気筒に対して再始動用の燃料を噴射し、点火を行う。そして、この点火によってエンジン１が始動すると、通常制御に移行する。
【００２９】
また、この実施形態の車両は、上述の通りメインバッテリ４とサブバッテリ５を備え、パワーリレー１１およびチャージリレー１２の切換によってバッテリ充電を行う２バッテリシステムを採用したものであって、コントロールユニット１０は、パワーリレー１１、チャージリレー１２およびオルタネータ６の制御により、経路を切り換えてメインバッテリ４およびサブバッテリ５の充電を行い、また、アイドルストップ制御によるエンジン自動停止後の再始動時に、パワーリレー１１およびチャージリレー１２の制御により、後述のようにメインバッテリ４とサブバッテリ５を使い分けて（サブバッテリ５によって、あるいはメインバッテリ４とサブバッテリ５の両方を使って）始動アシストのためにスタータ３を駆動する。
【００３０】
エンジン始動制御において、キー始動操作による通常始動時には、スタータ３を駆動のための電力は、メインバッテリ４とサブバッテリ５の両方でまかなう。
【００３１】
また、アイドルストップ制御によるエンジン停止からの復帰（再始動）の時にスタータ３の駆動は、基本的にはサブバッテリ５からの電力供給で行う。
【００３２】
ただし、サブバッテリ５が劣化したりして充電状態が悪い場合は、アイドルアップ制御の再始動時の始動を確実にするために、パワーリレー１１を接続状態にして、メインバッテリ４からもスタータ３に電力を供給し、メインバッテリ４からの電力とサブバッテリ５からの電力の両方でスタータ３を駆動する。
【００３３】
その際、パワーリレー１１を接続状態にするときのメインバッテリ４の充電状態に応じて、自動変速機２の油圧発生用電動オイルポンプ７、電動パワーステアリング８、ヒルホルダー９その他の車両電気負荷（ＥＬ）を停止させる。
【００３４】
メインバッテリ４の充電状態が良い場合は、エンジン始動に必要な電力部品（燃料供給とか点火のための電装品）とヒルホルダー９への電力の供給は優先して、自動変速機の油圧発生用電動オイルポンプ７、電動パワーステアリング８その他の電気負荷の作動を停止する。しかし、メインバッテリ４の充電状態が悪すぎる場合は、ヒルホルダー９も停止させる。
【００３５】
また、斜面だと車両後退に恐れがあるので、傾斜角を検知して、傾斜角が大きい場合は、車両後退防止が先決であるので、ヒルホルダー９を停止させることはせず、エンスト状態にして、その状態をブザーで報知する。
【００３６】
アイドルストップ制御による再始動時の制御の具体的な処理は図２および図３に示すとおりで、スタートすると、まず、アイドルストップのエンジン停止条件が成立したかどうかを判定する（ステップＳ１）。ここでは、例えば、ブレーキを踏んでいて（ブレーキオン）、アクセルを離していて（アクセルオフ）、車速が０で、変速位置がＤレンジであるという条件を全て満たしているときに、エンジン停止条件が成立したと判定する。
【００３７】
そして、エンジン停止条件が成立するまで待ち、エンジン停止条件が成立すると、アイドルストップのエンジン停止を実行するために燃料カット（Ｆ／Ｃ）を行う（ステップＳ２）。
【００３８】
そして、エンジン１が停止したかどうかを判定し（ステップＳ３）、エンジン１が停止するまで、そのままの状態で燃料カットを続ける。
【００３９】
そして、エンジン１が停止したら、再始動条件が成立したかどうかを判定する（ステップＳ４）。ここでは、例えば、アクセルが踏み込まれたときに、再始動条件が成立したと判定する。
【００４０】
そして、再始動条件が成立するまで待ち、再始動条件が成立したら、停止位置が上述の逆転再始動方式あるいは正転再始動方式の燃焼始動制御による再始動のための適正範囲内かどうかを判定して（ステップＳ５）、適正範囲内であれば、燃焼始動制御によって始動し（ステップＳ６）、始動後、通常制御へ移行する（ステップＳ７）。
【００４１】
また、停止位置が適正範囲内でないときは、燃焼始動制御による始動はできないので、まず、通常通りサブバッテリ５を電源としてスタータを駆動し（ステップＳ８）、膨張行程の気筒から燃焼を始めるよう燃焼制御を行い（ステップＳ９）、エンジン回転数が所定値以下かどうかで、サブバッテリ５の充電状態（劣化状態）を判定する（ステップＳ１０）。
【００４２】
そして、エンジン回転数が所定値以下というときは、サブバッテリ５が劣化等で充電状態が悪いということで、その場合は、メインバッテリ４のバッテリ電圧から、バッテリ状態（充電状態）を推定（予測）し（ステップＳ１１）、メインバッテリ４のバッテリ状態が良好かどうかを判定する（ステップＳ１２）。
【００４３】
そして、メインバッテリ４のバッテリ状態（充電状態）が良好であれば、パワーリレー１１を駆動状態（接続状態）として、メインバッテリ４とサブバッテリ５の両方でスタータを駆動する（ステップＳ１３）。
【００４４】
そして、ＴＤＣを通過したかどうか、つまり、膨張行程の気筒の燃焼によって圧縮行程の気筒が圧縮上始点を越えるところまで行ったかどうかを見て（ステップＳ１４）、圧縮上始点を越えるところまで行った後、圧縮行程の気筒を燃焼させる制御を行い（ステップＳ１５）、スタータアシスト始動を継続し（ステップＳ１６）、始動後、通常制御へ移行する（ステップＳ１７）。
【００４５】
また、メインバッテリ４のバッテリ状態（充電状態）が良好でないときは、ヒルホルダー９と、エンジン始動に必要な電力部品以外のデバイスの電源を遮断する（ステップＳ１８）。
【００４６】
そして、車両傾斜角が所定値以上かどうかを見て（ステップＳ１９）、傾斜角が所定値以上でなければ、ヒルホルダーの電源も遮断し（ステップＳ２０）、その後、パワーリレーを駆動するステップ（ステップＳ１３）へ進む。
【００４７】
また、傾斜角が所定値以上のときは、エンジンをエンストとし、ブザーを鳴らす（ステップＳ２１）。
【００４８】
また、エンジン回転数が所定値以下かどうかで、サブバッテリ５の充電状態（劣化状態）を判定する（ステップＳ１０）。
【００４９】
そして、膨張行程気筒燃焼制御の後の判定（ステップＳ１０）でエンジン回転数が所定値以下でないときは、サブバッテリ５の充電状態が悪くない（劣化していない）ということで、サブバッテリ５だけでスタータを駆動した状態のまま、
圧縮上始点を超えるところまで行ったかどうかを判定し（ステップＳ２２）、圧縮上始点を越えるところまで行った後、圧縮行程の気筒を燃焼させる制御を行い（ステップＳ２３）、スタータアシスト始動を継続し（ステップＳ２４）、始動後、通常制御へ移行する（ステップＳ２５）。
【００５０】
なお、上記制御では、サブバッテリ５だけでスタータ３を駆動したときのエンジン回転数を見てサブバッテリ５の劣化等による充電状態の悪化を判定し、また、メインバッテリ４のバッテリ電圧からそのバッテリ状態（充電状態）を判定しているが、メインバッテリ４およびサブバッテリ５の劣化は、キースイッチ１３がＯＮされ、メインバッテリ４およびサブバッテリ５それぞれがスタータ３に電力を供給し始めたときに生ずるそれぞれのバッテリ電圧の低下挙動に基づいて判定することもできる。スタータ３に電力供給を開始すると、バッテリ電圧は急激に低下し、時間の経過とともに規定の電圧値に回復する挙動を示す。そのバッテリ電圧の低下挙動（低下の程度）は、バッテリが劣化している場合の方が、劣化していない正常の場合に比べて大きい。したがって、スタータに電力供給を開始したときに生ずるバッテリ電圧の低下挙動に基づいて劣化判定をすることが可能である。
【００５１】
以上、実施形態の一例を説明したが、本発明はこれに限定されるものではなく、その他様々な態様で実施することが可能である。
【図面の簡単な説明】
【００５２】
【図１】本発明の実施形態に係る車両の制御装置のシステム図である。
【図２】本発明の実施形態の制御動作を示すフローチャート（その１）である。
【図３】本発明の実施形態の制御動作を示すフローチャート（その２）である。
【符号の説明】
【００５３】
１  エンジン
２  自動変速機
３  スタータ
４  メインバッテリ
５  サブバッテリ
６  オルタネータ
１０  コントロールユニット
１１  パワーリレー
１２  チャージリレー
１３  キースイッチ
１４、１５  電圧センサ
ＥＬ  車両電気負荷
【図１】
2008196427.tif 000003
【図２】
2008196427.tif 000004
【図３】
2008196427.tif 000005